(57)【要約】【課題】  被記録媒体上に色濃度及び光沢性の高い黒色を出力可能なインクジェット記録方法及びプリンタドライバを提供すること。【解決手段】  ブラック顔料インク及び一種以上の有彩色顔料インクを有するインクセットを用い、画像データに基づき記録ヘッドからインクを吐出させて、被記録媒体上に1色以上を出力するインクジェット記録方法において、上記画像データ上の黒色を被記録媒体上に出力する場合、上記インクセットを構成する全てのインクを用い、且つ上記ブラック顔料インクと全ての上記有彩色顔料インクとの単位面積当たりの吐出重量比を、（ブラック顔料インク）：（全有彩色顔料インク）＝０．１〜０．６：１とする。【選択図】  図１
2006231733.tif 000002
【特許請求の範囲】
【請求項１】
ブラック顔料インク及び一種以上の有彩色顔料インクを有するインクセットを用い、画像データに基づき記録ヘッドからインクを吐出させて、被記録媒体上に1色以上を出力するインクジェット記録方法において、
上記画像データ上の黒色を被記録媒体上に出力する場合、上記インクセットを構成する全てのインクを用い、且つ上記ブラック顔料インクと全ての上記有彩色顔料インクとの単位面積当たりの吐出重量比を、（ブラック顔料インク）：（全有彩色顔料インク）＝０．１〜０．６：１とすることを特徴とするインクジェット記録方法。
【請求項２】
上記ブラック顔料インクは、分散剤無しに水に分散及び／又は溶解可能に表面処理された表面処理顔料と、水とを含有し、
上記有彩色顔料インクは、顔料と、分散剤と、水とを含有することを特徴とする請求項１記載のインクジェット記録方法。
【請求項３】
上記ブラック顔料インクは、膜化温度の異なる二種以上の樹脂粒子を含有することを特徴とする請求項２記載のインクジェット記録方法。
【請求項４】
上記分散剤は、上記顔料を包含し且つ該顔料をインク中に分散可能とするポリマーからなり、該ポリマーは、疎水性基及び親水性基を有し且つインク中で実質的に溶解しないことを特徴とする請求項２又は３記載のインクジェット記録方法。
【請求項５】
ブラック顔料インク及び一種以上の有彩色顔料インクを有するインクセットと、画像データに基づきインクを吐出する記録ヘッドとを備えたインクジェット記録装置に接続又は内蔵されたコンピュータを、
上記画像データ上の黒色を被記録媒体上に出力する場合、上記インクセットを構成する全てのインクを用い、且つ上記ブラック顔料インクと全ての上記有彩色顔料インクとの単位面積当たりの吐出重量比を、（ブラック顔料インク）：（全有彩色顔料インク）＝０．１〜０．６：１とする装置、
として動作させることを特徴とするプリンタドライバ。
【発明の詳細な説明】
【技術分野】
【０００１】
本発明は、インクジェット記録方法及びプリンタドライバに関し、詳しくは、被記録媒体上に色濃度及び光沢性の高い黒色画像を出力可能なインクジェット記録方法及びプリンタドライバに関する。
【背景技術】
【０００２】
インクジェット記録方法は、デジタルカメラの撮影などによって得られた画像データ（例えばＲＧＢデータ）に基づき記録ヘッドからインクの液滴を吐出させ、該画像データに対応した画像を紙などの被記録媒体上に形成する印刷方法である。カラー画像の形成は、通常、無彩色のブラックインクと、イエロー、マゼンタ、シアン等の複数の有彩色インクとを有するインクセットを用いて行われる。インクジェット記録用のインクとしては、従来は、色材として染料を用いた染料インクが主流であったが、近年は、インクジェット記録方法の普及に伴い、印刷物の保存性が重視されるようになったことなどもあって、染料インクに比して印刷画像の保存性に優れる顔料インクに注目が集まるようになり、複数の水性顔料インクから構成された水性顔料インクセット（例えば、特許文献１参照）が普及している。
【特許文献１】特開２００１−３５４８８６号公報
【発明の開示】
【発明が解決しようとする課題】
【０００３】
例えば銀塩写真のような、高い光沢感を伴った印刷画像が望まれる場合は、被記録媒体として表面光沢性の高いいわゆる光沢紙が用いられることが多い。この光沢紙に対し、ブラック顔料インク及び一種以上の有彩色顔料インクを有する従来のインクセットを用いて画像を印刷すると、本来被記録媒体上で黒色であるべき印刷部分（上記画像データ上の純黒色が再現されるべき部分）の色濃度が不十分となり、黒の表現力に深みのある黒色が得られないという問題があった。また、黒色印刷部分の光沢性が悪く、黒色印刷部分と黒色以外の色の印刷部分とで光沢差が大きくなり、印刷物全体の印刷品質が低下するという問題もあった。これらの問題は、特に、インクセットとして、ブラック顔料インクが、分散剤無しに水に分散及び／又は溶解可能に表面処理された表面処理顔料を含有し、且つ、有彩色顔料インクが、顔料と、該顔料を該有彩色顔料インク中に分散可能にする分散剤とを含有する場合に顕著に発生する。
【０００４】
従って、本発明の目的は、被記録媒体上に色濃度及び光沢性の高い黒色を出力可能なインクジェット記録方法及びプリンタドライバを提供することにある。
【課題を解決するための手段】
【０００５】
本発明は、ブラック顔料インク及び一種以上の有彩色顔料インクを有するインクセットを用い、画像データに基づき記録ヘッドからインクを吐出させて、被記録媒体上に1色以上を出力するインクジェット記録方法において、上記画像データ上の黒色を被記録媒体上に出力する場合、上記インクセットを構成する全てのインクを用い、且つ上記ブラック顔料インクと全ての上記有彩色顔料インクとの単位面積当たりの吐出重量比を、（ブラック顔料インク）：（全有彩色顔料インク）＝０．１〜０．６：１とすることを特徴とするインクジェット記録方法を提供することにより、上記目的を達成したものである。
【０００６】
また、本発明は、ブラック顔料インク及び一種以上の有彩色顔料インクを有するインクセットと、画像データに基づきインクを吐出する記録ヘッドとを備えたインクジェット記録装置に接続又は内蔵されたコンピュータを、上記画像データ上の黒色を被記録媒体上に出力する場合、上記インクセットを構成する全てのインクを用い、且つ上記ブラック顔料インクと全ての上記有彩色顔料インクとの単位面積当たりの吐出重量比を、（ブラック顔料インク）：（全有彩色顔料インク）＝０．１〜０．６：１とする装置、として動作させることを特徴とするプリンタドライバを提供することにより、上記目的を達成したものである。
【０００７】
本発明のインクジェット記録方法及びプリンタドライバによれば、市販の光沢紙等の被記録媒体上に、光沢感に優れ且つ黒の表現力に深みのある黒色を出力することが可能であり、黒色とその他の色との光沢差が目立たず、銀塩写真のような高い光沢感を伴った高画質・高精細のカラー画像が得られる。
【発明を実施するための最良の形態】
【０００８】
以下に、本発明について、その一実施形態に基づき図面を参照しながら説明する。
図１は、本実施形態のインクジェット記録方法の実施に使用可能なプリントシステムの概略構成図、図２は、図１に示すプリントシステムを構成するインクジェットプリンタの概略構成を示した斜視図である。
【０００９】
本実施形態のプリントシステムは、図１に示すように、ホストコンピュータ１０と、該ホストコンピュータ１０に電気的に接続されたインクジェットプリンタ（インクジェット記録装置）３０を備えている。ホストコンピュータ１０のＯＳ（オペレーティングシステム）には、プリンタドライバ２０がインストールされている。
【００１０】
上記ホストコンピュータ１０は、ＣＰＵを中心としてＲＯＭやＲＡＭなどから構成される制御プロセッサを備えており、ＨＤＤ１１等の周辺機器を利用しながら、上記プリンタドライバ２０等の所定のプログラムコードを読み出し、その内容を実行することができる。また、ホストコンピュータ１０には、通常のパーソナルコンピュータと同様に、キーボードやマウス等の入力機器（図示せず）及びディスプレイ機器（図示せず）が接続されていると共に、該入力機器からのコード信号を受信して所定の操作を受け付ける入力機器ドライバ（図示せず）、及び該ディスプレイ機器における画像データ等の表示を制御するディスプレイドライバ（図示せず）がインストールされている。
【００１１】
上記プリンタドライバ２０は、上記ホストコンピュータ１０を、上記インクジェットプリンタ３０を用いてプリント処理を行う装置として動作させるコンピュータプログラムであり、フロッピディスク、ハードディスク、光ディスク、光磁気ディスク、ＣＤ−Ｒ、ＣＤ−ＲＯＭなどの記憶媒体に格納された状態で、あるいはインターネット経由でダウンロードされることにより、ユーザーに提供される。ユーザーは、プリント作業を行う前に、提供されたプリンタドライバ２０をホストコンピュータ１０にインストールする。
【００１２】
上記インクジェットプリンタ３０は、上記ホストコンピュータ２０から送信される印刷データに基づき被記録媒体に対してインクジェット記録を行い、印刷物を作製する印刷装置であり、図２に示すように、給紙モータ（図示せず）で駆動される給紙ローラ３１によって、用紙スタッカ３２内の被記録媒体Ｍを挟持してプラテン３３位置に搬送し、キャリッジ３４の下面に取り付けられた記録ヘッド３５からインクを吐出し、矢標Ｙで示す方向（副走査方向）に被被記録媒体Ｍを搬送するようになしてある。キャリッジ３４は、キャリッジモータ３６によって駆動されるタイミングベルト３７に連結されており、２本のガイドレール３８によって、被記録媒体Ｍの搬送方向Ｙと直交する方向（矢標Ｘで示す方向、主走査方向）に往復動作可能に支持されている。キャリッジ３４の上面には、記録ヘッド３５にインクを供給するインクカートリッジ３９が搭載されており、該インクカートリッジ３９には、無彩色のブラック顔料インク及び一種以上の有彩色顔料インクを有するインクセットが収容されている。本実施形態では、該インクセットは、ブラック（Ｋ）並びに有彩色のシアン（Ｃ）、マゼンタ（Ｍ）及びイエロー（Ｙ）の合計４色の水性顔料インクから構成されている。記録ヘッド３５のホームポジションには、記録ヘッド３５のフラッシング（空吐出）や定期クリーニングを行うためのキャッピング装置４０が設けられている。
【００１３】
上記記録ヘッド３５は、上記インクカートリッジ３９内に収容された複数のインクに対応する複数のヘッドを有しており、これら複数のヘッドが集積配置されたマルチヘッドを構成している。各ヘッドの被記録媒体Ｍと対向する面には、微細なノズル（図示せず）が多数形成されており、このノズルからインクの液滴を吐出する。各ヘッドは、インク供給路、該インク供給路の一部に設けられるエネルギー作用部、該エネルギー作用部に存在するインクに作用させる液滴形成エネルギーを発生するエネルギー発生手段（何れも図示せず）等を備えている。本実施形態では、エネルギー発生手段として、電気−機械変換素子を備えている。電気−機械変換素子としては、ピエゾ素子が好ましく用いられる。ピエゾ素子は、周知のように、電圧の印加により結晶構造が歪み、極めて高速に電気−機械エネルギーの変換を行う素子（圧電素子）である。各ヘッドの内部の適当な位置に配置されたピエゾ素子に、所定の時間幅の電圧を印加することにより、ピエゾ素子が電圧の印加時間だけ伸張し、これによりインク供給路の容積が収縮して、この収縮分に相当するインクが液滴となってノズルから高速吐出される。
【００１４】
上述の如き構成の本実施形態のプリントシステムにおいては、次のようにして被記録媒体に対してインクジェット記録が行われ、印刷物が作製される。
尚、本実施形態では、図示しないアプリケーションプログラムによって上記インクジェットプリンタ３０に画像を印刷させることができる。アプリケーションプログラムは、例えば、カラー画像のレタッチ等を実行可能なアプリケーションプログラムであり、ユーザーは当該アプリケーションプログラムの実行下において、上記入力機器を操作して当該カラー画像をインクジェットプリンタ３０にて印刷させることができる。
【００１５】
また、本実施形態においては、印刷対象の画像を示す画像データ１２は、上記ＨＤＤ１１に記録されている。画像データ１２は、ＲＧＢ（レッド，グリーン，ブルー）の各色成分を階調表現して各画素の色を規定したドットマトリクス状のデータであり、本実施形態では、各色２５６階調であると共にｓＲＧＢ規格に従った表色系を採用した画像データである。尚、本発明が適用可能な画像データはこのようなｓＲＧＢ表色系に沿った画像データに制限されず、本発明は、ＹＣｂＣｒ表色系を採用したＪＰＥＧ画像データ、ＣＭＹＫ表色系を採用した画像データ、Ｅｘｉｆ２．２規格（Ｅｘｉｆは社団法人電子情報技術産業協会の登録商標）に準拠したデータ、Print Image Matching（PIM:PIMはセイコーエプソン株式会社の登録商標）に対応したデータ等、種々の画像データに対して適用することができ、これら各種画像データ上の黒色を被記録媒体上に出力する場合に有効である。本発明でいう「画像データ上の黒色」は、その画像データの規格において一義的に定められる純黒色（最も黒味の強い色）を意味するが、画像データの規格によっては、当該規格で一義的に定められる純黒色のみならず、該純黒色に近い黒色も含まれる。例えば、本実施形態で適用されるｓＲＧＢ表色系の場合、「画像データ上の黒色」は、（Ｒ，Ｇ，Ｂ）＝（０，０，０）〜（４０，４０，４０）の範囲に含まれる色を意味し、本発明はこの範囲に含まれる色に対して有効である。尚、（Ｒ，Ｇ，Ｂ）＝（０，０，０）は純黒色であり、カッコ内の数値が大きくなるほど黒味が薄まる。
【００１６】
上記アプリケーションプログラムによって印刷指示がなされると、上記プリンタドライバ１０が駆動され、上記プリンタドライバ２０は図示しない上記ディスプレイドライバにデータを送信して、使用する被記録媒体の種類、画質、印刷速度などの印刷条件を示す情報を入力させるための図示しないＵＩ（ユーザーインターフェース）を表示する。上記入力機器を操作してユーザーが当該ＵＩにて印刷に必要な情報を入力すると、プリンタドライバ２０の各モジュールが起動され、印刷データが生成される。生成された印刷データは、上記インクジェットプリンタ３０に送信され、インクジェットプリンタ３０は当該印刷データに基づいて印刷を実行する。
【００１７】
具体的には、上記プリンタドライバ２０は、画像データ取得モジュール２１、色変換モジュール２２、ハーフトーン処理モジュール２３及び印刷データ生成モジュール２４を備えている。上記アプリケーションプログラムで上記画像データ１２が示す画像の印刷実行指示がなされると、プリンタドライバ２０が起動され、画像データ取得モジュール２１は、画像データ１２を取得する。このとき、画像データ１２の画素数に過不足があれば、印刷に必要な画素を確保するため適宜解像度変換処理を行う。
【００１８】
上記色変換モジュール２２は、各画素の色を示す表色系を変換するモジュールであり、上記ＨＤＤ１１に記録されたＬＵＴ（色変換テーブル）１３を参照して、上記画像データ１２のｓＲＧＢ表色系を、上記インクジェットプリンタ３０が搭載する上記ＣＭＹＫインクを成分とするＣＭＹＫ表色系（インク色表色系）に変換する。ＬＵＴ１３は、ｓＲＧＢ表色系とＣＭＹＫ表色系とのそれぞれによって色を表現すると共に両者を対応付け、複数の色についてこの対応関係を記述したテーブルである。従って、ｓＲＧＢ表色系で表現した任意の色に関し、その周りの色であってＬＵＴ１３に規定されたｓＲＧＢの色を参照すれば、補間演算によって当該任意の色に対応したＣＭＹＫ表色系の色を算出することができ、色変換を実施することができる。
【００１９】
上記ハーフトーン処理モジュール２３は、ＣＭＹＫ表色系で表現された各画素の階調値を変換してインク滴の記録密度で表現するためのハーフトーン処理を行うモジュールであり、上記色変換後のＣＭＹＫデータに基づき、ディザ法、誤差拡散法、濃度パターン法等の公知の処理法によりハーフトーン処理を行い、上記インクジェットプリンタ３０の各画素についてインク滴の吐出／非吐出を決定する。
【００２０】
上記印刷データ生成モジュール２４は、上記ハーフトーン処理後のインク色データを受け取って、これを上記インクジェットプリンタ３０で使用される順番にデータを並べ替え、更に、当該並べ替え処理後のデータに画像の解像度などの所定の情報を付加して印刷データを生成し、インクジェットプリンタ３０に送信する。この結果、インクジェットプリンタ３０にて、上記被記録媒体Ｍ上に上記画像データ１２が示す画像がほぼ忠実に再現される。
【００２１】
而して、本実施形態においては、上記画像データ１２上の黒色〔ｓＲＧＢ表色系で（Ｒ，Ｇ，Ｂ）＝（０，０，０）〜（４０，４０，４０）の範囲に含まれる色〕を被記録媒体上に出力する場合、上記インクセットを構成するＫ、Ｃ、Ｍ、Ｙの４色の顔料インク全てを用い、且つＫインクと全ての有彩色インク（ＣＭＹインク）との単位面積当たりの吐出重量（単位面積当たりに吐出されるインクの重量）比を、（ブラックインク）：（全有彩色インク）＝０．１〜０．６：１とする。上述した画像データ１２の色変換処理で用いられる上記ＬＵＴ１３においては、斯かる記録方法が実行されるように、ＣＭＹＫデータ（インク色データ）が定義されている。
【００２２】
つまり、本実施形態においては、印刷対象の画像を示すＲＧＢデータ等の画像データにおいて黒色と認識される色（画像データ上の黒色）を被記録媒体上で再現しようとする場合、インクセットを構成する全てのインクを用い、且つブラックインクの単位面積当たりの吐出重量と、ブラック以外の全ての有彩色インクそれぞれの単位面積当たりの吐出重量の合計量との比率が上記範囲内に収まるように、黒色を示す画像データをインク色データに色変換するのである。これにより、被記録媒体上に発色性及び光沢性に優れた黒色を出力することが可能となり、従来のインクジェット記録方法で問題となっていた黒色と黒色以外の色との間の光沢差が効果的に防止され、高画質高品位の印刷画像が得られる。
【００２３】
尚、上記ＬＵＴ１３においては、画像データ１２上の黒色を出力する場合に適用される上述の特定処理は、Ｋインクの最大使用量を越えない範囲で行われる。該最大使用量は、次のようにして決定される。先ず、上記インクジェットプリンタ３０（本実施形態のインクジェット記録方法の実施に使用するインクジェット記録装置又はプリントシステム）を用い、被記録媒体上に複数の黒色パッチを印刷する。これら複数の黒色パッチは、それぞれ上記インクセットを構成する各インク（ＣＭＹＫインク）の使用量が異なっている。次に、測色器により各パッチのＯＤ値を測色し、黒色濃度が飽和しているパッチ（黒色濃度がほぼ上限にあると判断される複数のパッチのうちで最も黒色濃度が低いもの）を選択する。そして、選択されたパッチにおけるＫインクの使用量を上記最大使用量とする。一般に、Ｋインクの使用量の増加により、色濃度（ＯＤ値）は増加するが、光沢度は低減するところ、上記のように、黒色濃度の増加が頭打ちになり始めたところのパッチを選択すれば、濃い色濃度と高い光沢性を両立させることが可能となる。
【００２４】
また、上記のように、画像データ１２上の黒色を被記録媒体上に出力する場合において、本実施形態のように有彩色インクが二種以上ある場合は、これら二種以上の有彩色インク間における吐出重量比は特に限定されず、所望の色に合わせて適宜調整することができる。
【００２５】
本発明は、インクジェット記録が可能な被記録媒体に対して適用可能であるが、特に、被記録面の表面光沢性の高いいわゆる光沢紙に対して有効であり、光沢紙を被記録媒体として用いることで、銀塩写真のような高い光沢感を伴った高画質な印刷物が得られる。光沢紙としては、インクジェット専用紙などとして一般に市販されている光沢タイプのインクジェット記録用紙の他、インクジェット記録が可能な表面光沢層が設けられたＣＤ−Ｒ、ＣＤ−ＲＯＭ、ＣＤ−ＲＷ、ＤＶＤ−ＲＡＭ等の光ディスクなどが挙げられる。本発明は、特に、被記録面のＪＩＳ−Ｐ８１４２で規定する７５度光沢度が１５％以上、とりわけ３０％以上の光沢紙を用いた場合に有効である。
【００２６】
本発明に係るインクセットを構成する顔料インクは、通常、顔料系の色材及び主溶媒としての水を含み、更に、各種溶剤や添加剤を含んでなる。
本発明は、特に、「ブラック顔料インクは、分散剤無しに水に分散及び／又は溶解可能に表面処理された表面処理顔料と、水とを含有し、有彩色顔料インクは、顔料と、分散剤と、水とを含有するインクセット」（以下、インクセットＡという）を用いる場合に有効である。以下に、このインクセットＡについて説明する。
【００２７】
〈ブラック顔料インク〉
上記インクセットＡのブラック顔料インクに含有される、「分散剤無しに水に分散及び／又は溶解可能に表面処理された表面処理顔料」（以下、表面処理顔料ともいう）は、構造的には、顔料（カーボンブラック）表面に多数の親水性官能基及び／又はその塩を、直接又はアルキル基、アルキルエーテル基、アリール基等を介して間接的に結合させたものであり、自己分散型顔料などとも呼ばれる。この親水性官能基の具体例としては、カルボニル基、カルボキシル基、ヒドロキシル基、スルホン基、ホスホノ基、第四級アミン基が挙げられる。表面処理顔料の表面には、これらの官能基の１種以上を結合させることができる。
【００２８】
顔料表面に多数の親水性官能基及び／又はその塩を結合させる方法としては、顔料の真空プラズマ処理、水中で酸化剤により顔料表面を酸化する湿式酸化、ｐ−アミノ安息香酸を顔料表面に結合させることによりフェニル基を介してカルボキシル基を結合させる方法等が挙げられる。特に好ましい方法は、次亜ハロゲン酸及び／又は次亜ハロゲン酸塩による顔料の酸化処理、並びにオゾンによる顔料の酸化処理であり、これらの酸化処理により得られる表面処理顔料は高い発色性を有する。
【００２９】
上記表面処理顔料としては、例えば特開平８−３４９８号公報記載の方法によって得られたものを用いることもできる。市販品としては、オリエント化学工業株式会社製のマイクロジェットＣＷ１が好ましく用いられる。
【００３０】
上記表面処理顔料の平均粒径は、インクの保存安定性やノズルの目詰まり防止等の観点から、５０〜２５０ｎｍの範囲にあることが好ましい。
上記表面処理顔料の含有量は、上記ブラック顔料インクの全重量に対して、好ましくは１〜１５重量％、更に好ましくは２〜１０重量％である。
【００３１】
上記ブラック顔料インクには、表面処理顔料及び水に加えて、膜化温度の異なる二種以上の樹脂粒子を含有させること好ましい。「膜化温度の異なる二種以上の樹脂粒子」の好ましい態様としては、膜化温度が０℃未満の樹脂粒子の一種以上と、膜化温度が３０℃以上の樹脂粒子の一種以上とを含むものである。膜化温度は、樹脂粒子を水に溶解又は分散させて得られた水溶液又は水性分散液を、アルミニウム等の金属板の上に薄く塗布して、規定温度で乾燥させた状態を観察して判断する。膜化するものは、透明な連続フィルムが形成され、膜化しないものは白濁状となる。
【００３２】
上記樹脂粒子を構成する樹脂としては、アクリル系樹脂、メタクリル系樹脂、スチレン系樹脂、ウレタン系樹脂、アクリルアミド系樹脂、エポキシ系樹脂及びこれらの混合物からなる群より選択されるものが好ましく用いられる。これらの樹脂は、ホモポリマー又はコポリマーして用いることもできるし、単相構造又は複相構造（コアシェル型）の何れのものとして用いることもできる。
【００３３】
また、二種以上の上記樹脂粒子のうちの少なくとも一種は、不飽和単量体及び／又は架橋性単量体等を水性媒体中で乳化重合して得られた樹脂粒子のエマルジョンであることが好ましい。樹脂粒子がエマルジョンの形態でインク中に添加されることにより、樹脂粒子が均一に分散し、インクの保存安定性を向上させることができる。この樹脂粒子のエマルジョンの好ましい形態としては、アクリルエマルジョンが挙げられる。
【００３４】
上記ブラック顔料インクには、上記樹脂粒子以外の添加剤として、例えば、アセチレングリコール系界面活性剤、アセチレンアルコール系界面活性剤等の界面活性剤；多価アルコール、グリコール系ブチルエーテル、ピロリドン等の水溶性有機溶媒の他、防腐剤・防かび剤、酸化防止剤、導電率調整剤、ｐＨ調整剤、粘度調整剤、表面張力調整剤、酸素吸収剤等を適宜含有させることができる。
【００３５】
〈有彩色顔料インク〉
上記インクセットＡの有彩色顔料インクに含有される顔料としては、従来からインクジェット用インクに使用されている有機顔料を用いることができ、例えば、アゾ顔料（例えば、アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフタロン顔料等）、ニトロ顔料、ニトロソ顔料、アニリンブラック等が挙げられる。
顔料の含有量は、上記有彩色顔料インクの全重量に対して、好ましくは０．５〜２０重量％、更に好ましくは１〜１０重量％である。
【００３６】
また、上記インクセットＡの有彩色顔料インクに、上記顔料と共に含有される分散剤としては、この種の水性顔料インク中に通常添加される樹脂分散剤を特に制限無く用いることができる。
【００３７】
上記分散剤として特に好ましいものは、上記顔料を包含し且つ該顔料をインク中に分散可能とするポリマーからなり、該ポリマーは、疎水性基及び親水性基を有し且つインク中で実質的に溶解しないものである。この特に好ましい分散剤（ポリマー）としては、本出願人の先の出願に係る特開２００４−９１６１７号公報の〔００５３〕〜〔００６７〕に記載のポリマー（ポリマー粒子分散液）が好ましく用いられる。
【００３８】
上記有彩色顔料インクには、上記の顔料及びポリマーに加えて、必要に応じ、上記ブラック顔料インクに含有可能な各種添加剤を適宜含有させることができる。
【００３９】
上記インクセットＡに含まれる上記有彩色顔料インクの数は、特に限定されないが、インクセットＡは、有彩色顔料インクとして、少なくともシアン、マゼンタ、イエローの三種を備えていることが好ましい。これら三種の他に、更に、ライトシアン、ライトマゼンタ、オレンジ、グリーンなどの有彩色顔料インクを備えていても構わない。
【００４０】
本発明は、上述した実施形態に制限されず、本発明の趣旨を逸脱しない範囲で種々の変更が可能である。
例えば、上述の実施形態では、インクジェット記録装置に接続されたホストコンピュータが、プリンタドライバのプログラムコードを読み出して各種処理を実行していたが、インクジェット記録装置に内蔵されたコンピュータが、該コンピュータにインストールされたプリンタドライバのプログラムコードを読み出して各種処理を実行してもよい。
【００４１】
また、インクジェット記録装置の各部の構成、例えば、記録ヘッドの構成やインクセットを構成するインクの種類などは、上述した実施形態に制限されず、適宜変更可能であることは言う迄もない。例えば、記録ヘッドは、上述の実施形態では電気−機械変換方式の記録ヘッドであったが、電極などの静電気力発生手段を利用した記録ヘッドでもよく、ヒータなどの電気−熱変換素子を利用した電気−熱変換方式の記録ヘッドでもよい。後者の電気−熱変換方式は、電気−熱変換素子により液体中に気体（バブル）を発生させ、この力で液体を吐出させるインク吐出方式であり、この方式の記録ヘッドとしては、例えばキャノン社製のバブルジェット（登録商標）ヘッドがある。
【実施例】
【００４２】
以下に、本発明の実施例及び本発明の効果を示す試験例を挙げて、本発明をより具体的に説明するが、本発明は、斯かる実施例により何等制限されるものではない。
【００４３】
表面処理顔料分散液の調製
市販のカーボンブラックであるカラーブラックＳ１７０(商品名：デグサ・ヒュルス社製)１００ｇを水１ｋｇに混合して、ジルコニアビーズによるボールミルにて粉砕した。この粉砕原液に次亜塩素酸ナトリウム（有効塩素濃度１２％）１４００ｇを滴下して、ボールミルで粉砕しながら５時間反応させ、さらに攪拌しながら４時間煮沸して湿式酸化を行った。得られた分散原液をガラス繊維ろ紙ＧＡ−１００（商品名：アドバンテック東洋社製）で濾過して、さらに水で洗浄した。得られたウェットケーキを水５ｋｇに再分散して、逆浸透膜により電導度が２ｍＳ／ｃｍになるまで脱塩および精製し、さらに顔料濃度が１５重量％になるまで濃縮して表面処理顔料分散液を調製した。この分散液の顔料の平均粒径をＭｉｃｒｏｔｒａｃ ＵＰＡ１５０（Ｍｉｃｒｏｔｒａｃ社製）の粒度分布測定により測定したところ、１１０ｎｍであった。
【００４４】
樹脂粒子の調製
樹脂粒子を分散粒子とする２種類のエマルジョン（エマルジョン１、エマルジョン２）を、それぞれ下記の方法によって調製した。
【００４５】
エマルジョン１の調製
撹拌機、還流コンデンサー、滴下装置、及び温度計を備えた反応容器に、イオン交換水９００ｇ及びラウリル硫酸ナトリウム３ｇを仕込み、撹拌下に窒素置換しながら７０℃まで昇温した。内温を７０℃に保ち、重合開始剤として過硫酸カリウム４ｇを添加し、溶解後、予めイオン交換水４５０ｇ、ラウリル硫酸ナトリウム３ｇにアクリルアミド２０ｇにスチレン３００ｇ、ブチルアクリレート６４０ｇ、及びメタクリル酸３０ｇを撹拌化に加えて作製した乳化物を、反応溶液内に連続的に４時間かけて滴下した。滴下終了後、３時間の熟成を行った。得られた水性エマルジョンを常温まで冷却した後、イオン交換水と５％水酸化ナトリウム水溶液を添加して固形分４０重量％、ｐＨ８に調整し、エマルジョン１を得た。
得られたエマルジョン１は約２０℃の室内周囲温度で膜化すること確認し、熱分析装置ＳＳＣ５０００（セイコー電子（株）製）を用いた示差熱分析によりガラス転移温度を測定したところ、−１５℃であった。また、このエマルジョン１の平均粒径をＭｉｃｒｏｔｒａｃ ＵＰＡ１５０（Ｍｉｃｒｏｔｒａｃ社製）の粒度分布測定により測定したところ、１１０ｎｍであった。
【００４６】
エマルジョン２の調製
撹拌機、還流コンデンサー、滴下装置、及び温度計を備えた反応容器に、イオン交換水９００ｇ及びラウリル硫酸ナトリウム１ｇを仕込み、撹拌下に窒素置換しながら７０℃まで昇温した。内温を７０℃に保ち、重合開始剤として過硫酸カリウム４ｇを添加し、溶解後、予めイオン交換水４５０ｇ、ラウリル硫酸ナトリウム３ｇにアクリルアミド２０ｇにスチレン６１５ｇ、ブチルアクリレート２９５ｇ、及びメタクリル酸３０ｇを撹拌化に加えて作製した乳化物を、反応溶液内に連続的に４時間かけて滴下した。滴下終了後、３時間の熟成を行った。得られた水性エマルジョンを常温まで冷却した後、イオン交換水と水酸化ナトリウム水溶液とを添加して固形分４０重量％、ｐＨ８に調整し、エマルジョン２を得た。
得られたエマルジョン２は約２０℃の室内周囲温度で膜化しないこと確認し、熱分析装置ＳＳＣ５０００（セイコー電子（株）製）を用いた示差熱分析によりガラス転移温度を測定したところ、３６℃であった。またこのエマルジョン２の平均粒径をＭｉｃｒｏｔｒａｃ ＵＰＡ１５０（Ｍｉｃｒｏｔｒａｃ社製）の粒度分布測定により測定したところ、１１０ｎｍであった。
【００４７】
〈ブラック顔料インクの調製〉
下記の各種成分を混合し、室温にて２時間攪拌した後、孔径約５μmのステンレス製フィルターを用いてこれを濾過し、水性ブラック顔料インクを調製した。
上記表面処理顔料分散液  ４０重量％；上記エマルジョン１  ５重量％；上記エマルジョン２  ５重量％；グリセリン  １０重量％；テトラエチレングリコール  ５重量％；２−ピロリドン  ２重量％；トリエチレングリコールモノブチルエーテル  ５重量％；ノニオン系界面活性剤（サーフィノール４４０、エアープロダクツ社製）  １．５重量％；トリプロパノールアミン  １重量％；超純水  バランス。
【００４８】
ポリマー（分散剤）溶液の調製
攪拌機、温度計、還流管、及び滴下ロートを備えた反応容器を窒素置換した後、スチレン３０部、α−メチルスチレン１０部、ブチルメタクリレート１５部、ラウリルメタクリレート１０部、アクリル酸２部、ｔ―ドデシルメルカプタン０．３部を入れて７０℃に加熱した。これに、別に用意したスチレン１５０部、アクリル酸１５部、ブチルメタクリレート５０部、ｔ−ドデシルメルカプタン１部、メチルエチルケトン２０部、及びアゾビスイソブチロニトリル３部を滴下ロートに入れて４時間かけて反応容器に滴下して、分散ポリマーを重合反応させた。更に、反応容器にメチルエチルケトンを添加して、５０重量％濃度のポリマー溶液を作成した。
得られたポリマー溶液からポリマーを抽出して、中和手滴定法による酸価とＧＰＣ法による平均分子量を測定した。その結果、酸価は５５  ＫＯＨｍｇ／ｇ、平均分子量は３５，０００であった。
【００４９】
イエロー顔料分散液の調製
イエロー顔料を含有するポリマー粒子分散液を次の手順で製造した。上記ポリマー溶液５０部、Ｃ．Ｉ．ピグメントイエロー７４  ７５部、０．０５ｗｔ％の水酸化ナトリウム水溶液２７．５部、メチルエチルケトン６０部を混合し、ホモジナイザーで３０分攪拌した。その後、イオン交換水を３００部添加して、更に１時間攪拌した。ロータリーエバポレーターを用いてメチルエチルケトンの全量と水の一部を留去した後、０．３μｍのメンブレンフィルターで濾過して固形分が２０重量％のイエロー顔料分散液を得た。
【００５０】
マゼンタ顔料分散液の調製
上記イエロー顔料分散液の調製において、Ｃ．Ｉ．ピグメントイエロー７４  ７５部に代えてＣ．Ｉ．ピグメントレッド１２２  ８０部を用い、且つ上記ポリマー溶液  ５０部に代えて該ポリマー溶液  ４０部を用いた以外は上記イエロー顔料分散液の調製と同様にして、マゼンタ顔料分散液を得た。
【００５１】
シアン顔料分散液の調製
上記イエロー顔料分散液の調製において、Ｃ．Ｉ．ピグメントイエロー７４  ７５部に代えてＣ．Ｉ．ピグメントブルー１５：４  ５０部を用い、且つ上記ポリマー溶液  ５０部に代えて該ポリマー溶液  １００部を用いた以外は上記イエロー顔料分散液の調製と同様にして、シアン顔料分散液を得た。
【００５２】
〈有彩色顔料インクの調製〉
下記の各種成分を混合し、室温にて２時間攪拌した後、孔径約１．２μｍのメンブランフィルタ（商品名、日本ミリポア・リミテッド製）を用いてこれを濾過し、イエロー、マゼンタ、シアンの３色の水性有彩色顔料インクをそれぞれ調製した。
イエロー顔料インク
上記イエロー顔料分散液  ４０重量％；グリセリン  ２０重量％、トリエチレングリコール  ４重量％；２−ピロリドン  ２重量％、トリエチレングリコールモノブチルエーテル  ５重量％；ノニオン系界面活性剤（サーフィノール４６５、エアープロダクツ社製）  １重量％；ノニオン系界面活性剤（サーフィノールＴＧ、エアープロダクツ社製）  ０．５重量％；超純水  バランス。
マゼンタ顔料インク
上記マゼンタ顔料分散液  ３８重量％；グリセリン  ２０重量％、トリエチレングリコール  ４重量％；２−ピロリドン  ２重量％、トリエチレングリコールモノブチルエーテル  ５重量％；ノニオン系界面活性剤（サーフィノール４６５、エアープロダクツ社製）  １重量％；ノニオン系界面活性剤（サーフィノールＴＧ、エアープロダクツ社製）  ０．２重量％；超純水  バランス。
シアン顔料インク
上記シアン顔料分散液  ４０重量％；グリセリン  ２０重量％、トリエチレングリコール  ４重量％；２−ピロリドン  ２重量％、トリエチレングリコールモノブチルエーテル  ５重量％；ノニオン系界面活性剤（サーフィノール４６５、エアープロダクツ社製）  １重量％；ノニオン系界面活性剤（サーフィノールＴＧ、エアープロダクツ社製）  ０．１重量％；超純水  バランス。
【００５３】
上述の手順で得られたブラック顔料インク（Ｋインク）と、イエロー、マゼンタ及びシアンの三種の有彩色顔料インク（Ｙインク、Ｍインク、Ｃインク）とを組み合わせて、合計四種の水性顔料インクから構成されるインクセットを得た。
【００５４】
〔実施例及び比較例〕
ｓＲＧＢ表色系において、（Ｒ，Ｇ，Ｂ）＝（０，０，０）及び(４０，４０，４０)でそれぞれ表される２種類の画像データ上の黒色と、（Ｒ，Ｇ，Ｂ）＝（２５５，２５５，０）、（２５５，０，２５５）及び（０，２５５，２５５）でそれぞれ表される３種類の黒色以外の色とを選択し、上述の手順で得られたインクセットを搭載したインクジェットプリンタ（ＰＭ−４０００ＰＸ、セイコーエプソン社製）を用いて、光沢タイプのインクジェット記録用紙（IJ-ProofSG127、三菱製紙製、被記録面のＪＩＳ−Ｐ８１４２で規定する７５度光沢度４５％）の被記録面にこれら５色のパッチをそれぞれ印刷し、印刷物を作製した。
尚、上記の（Ｒ，Ｇ，Ｂ）＝（０，０，０）の黒色及び(４０，４０，４０)の黒色は、上記Ｋインク、上記Ｙインク、上記Ｍインク及び上記Ｃインクの合計デューティーを、それぞれ、１００％（（Ｒ，Ｇ，Ｂ）＝（０，０，０）の場合）、９０％（（Ｒ，Ｇ，Ｂ）＝（４０，４０，４０）の場合）とし且つ、該Ｋインクの単位面積当たりの吐出重量と、該Ｙインク、該Ｍインク及び該Ｃインクそれぞれの単位面積当たりの吐出重量の合計との比（Ｋ：ＹＭＣ）を下記〔表１〕に示すように適宜変更させることによって被記録媒体上に出力した。
一方、上記の（Ｒ，Ｇ，Ｂ）＝（２５５，２５５，０）の色は、上記Ｙインクをデューティー１００％で吐出させることによって、（２５５，０，２５５）の色は、上記Ｍインクをデューティー１００％で吐出させることによって、（０，２５５，２５５）の色は、上記Ｃインクをデューティー１００％で吐出させることによって、それぞれ被記録媒体上に出力した。
こうして作製された上記印刷物について、（Ｒ，Ｇ，Ｂ）＝（０，０，０）及び(４０，４０，４０)でそれぞれ表される画像データ上の黒色に対応する２種類のパッチ（黒色パッチ）の発色性、及び各パッチの光沢均一性をそれぞれ下記方法により評価した。これらの結果を下記〔表１〕に示す。
【００５５】
（発色性の評価方法）
上記の２種類の黒色パッチについて、グレタグマクベス社製のスペクトロリーノＳＰＭ−５０を用い、視野角２度、光源Ｄ５０、フィルター無しの条件で反射光学濃度（ＯＤ値）を測定し、画像データ〔（Ｒ，Ｇ，Ｂ）＝（０，０，０）又は(４０，４０，４０) 〕が同じパッチ間でＯＤ値の比較を行った。ＯＤ値が大きいほど発色性に優れる。
【００５６】
（光沢均一性の評価方法）
上記の５色のパッチについて、変角光沢計（ＧＭ−３Ｄ型、村上色彩技術研究所製）を用いて２０度鏡面光沢度をそれぞれ測定し、上記の２種類の黒色パッチについて、それぞれ、黒色パッチの２０度鏡面光沢度（黒色光沢度）と、黒色以外の上記３色の有彩色パッチの該光沢度の平均値（有彩色平均光沢度）とを比較して、黒色光沢度と有彩色平均光沢度との差が１０％以内のものをＡ（光沢差がほとんど無く、光沢均一性良好）、該差が１０％を超えて２０％以内のものをＢ（実用上問題なし）、該差が２０％を超えるものをＣ（実用不可）とした。
【００５７】
【表１】
2006231733.tif 000003
【図面の簡単な説明】
【００５８】
【図１】本発明のインクジェット記録方法の一実施形態の実施に使用可能なプリントシステムの概略構成図である。
【図２】図１に示すプリントシステムを構成するインクジェットプリンタの概略構成を示した斜視図である。
【符号の説明】
【００５９】
１０…ホストコンピュータ、１２…画像データ、２０…プリンタドライバ、３０…インクジェットプリンタ、３１…給紙ローラ、３２…用紙スタッカ、３３…プラテン、３４…キャリッジ、３５…記録ヘッド、３６…キャリッジモータ、３７…タイミングベルト、３８…ガイドレール、３９…インクカートリッジ、４０…回復ユニット、Ｍ…被記録媒体
【図１】
2006231733.tif 000004
【図２】
2006231733.tif 000005